(57)【要約】【課題】立体的な模様を均一に表示させることができない従来に対して、薄型化を図ることができるとともに、立体感のある発光パターンが視認される装飾体及び該装飾体を用いた装飾表示装置を提供することを目的とする。【解決手段】光源ＬＥ１からの光を導光する第１の導光体１と、第１の導光体１の上面側に配設され第１の導光体１から出光された光を透過させる透光体２とを備え、第１の導光体１の表面には、所定のピッチＰ１で複数の第１画素１ｇが配設された第１のパターン１１が設けられるとともに、透光体２の表面には、第１のパターン１１のピッチＰ１とは異なる所定のピッチＰ２で複数の第２画素２ｇが配設された第２のパターン２２が設けられ、第１のパターン１１の第１画素１ｇが光を散乱するとともに、第２のパターン２２の第２画素２ｇが光を遮光することを特徴としている。【選択図】図１
2013173246.tif 000002
【特許請求の範囲】
【請求項１】
所定のピッチで複数の第１画素が配設された第１のパターンと、該ピッチとは異なる所定のピッチで複数の第２画素が配設された第２のパターンとを有し、前記第１のパターンと前記第２のパターンとを重ね合わせることによりモアレパターンが発現する装飾体であって、
光源からの光を入光する第１の入光部を端部に有し前記第１の入光部から入光した光を導光する第１の導光体と、前記第１の導光体の上面側に配設され前記第１の導光体から出光された光を透過させる透光体とを備え、
前記第１の導光体の表面には、前記第１のパターンが設けられるとともに、前記透光体の表面には前記第２のパターンが設けられ、
前記第１のパターンの前記第１画素が光を散乱するとともに、前記第２のパターンの前記第２画素が光を遮光することを特徴とする装飾体。
【請求項２】
前記第１のパターンが前記第１の導光体の下面に設けられていることを特徴とする請求項１に記載の装飾体。
【請求項３】
前記第２のパターンが前記透光体の上面に設けられていることを特徴とする請求項１または請求項２に記載の装飾体。
【請求項４】
前記第１の導光体の上面側に設けられ、光源からの光を入光する第２の入光部を端部に有し前記第２の入光部から入光した光を導光する第２の導光体を備え、
前記第２の導光体の表面には、所定の図柄を構成する光散乱性を有する第３のパターンが設けられていることを特徴とする請求項１ないし請求項３のいずれかに記載の装飾体。
【請求項５】
前記第１の導光体と前記透光体との間に、前記第２の導光体が設けられるとともに、前記第３のパターンが複数の第３画素で形成されていることを特徴とする請求項４に記載の装飾体。
【請求項６】
前記第３のパターンの前記第３画素が、前記第１のパターンの前記第１画素に対応させて同じピッチで設けられていることを特徴とする請求項５に記載の装飾体。
【請求項７】
前記第１の導光体と前記透光体との間にスペーサが配設され、前記第１の導光体と前記透光体とが離間していることを特徴とする請求項１ないし請求項３のいずれかに記載の装飾体。
【請求項８】
前記第１のパターンの前記第１画素が白色で形成されているととともに、前記第２のパターンの前記第２画素が黒色で形成されていることを特徴とする請求項１ないし請求項７のいずれかに記載の装飾体。
【請求項９】
請求項１ないし請求項８のいずれかに記載の装飾体と、前記装飾体に光を入光するための前記第１の入光部に対向して設けられた光源と、前記装飾体及び前記光源が配設された基体とを有することを特徴とする装飾表示装置。
【発明の詳細な説明】
【技術分野】
【０００１】
本発明は、各種電子機器に用いられる装飾体に関し、特に、光の入光部を備えて発光させることのできる装飾体及び該装飾体を用いた装飾表示装置に関する。
【背景技術】
【０００２】
近年、電子機器製品の多様化に伴って、製品の付加価値を上げるために、製品表面のデザイン性や装飾性を向上させる試みがなされてきた。その一つの手段として、見る角度によって模様または色彩が変化し、平面状でありながら立体感が得られる装飾体を用いる場合があり、その方法が様々提案されている。
【０００３】
上述した装飾体の内で、代表的な装飾体は、レンチキュラーレンズを用いたタイプが一般的に知られている。特許文献１では、図１５に示すように、このレンチキュラーレンズを用いた装飾表示体９４０が提案されている。図１５（ａ）に示す装飾表示体９４０は、透明なシート状の透明素材９４１の裏面に着色された複数の画素９４２を印刷して画像パターン９４３を形成するとともに、透明素材９４１の表面に複数の凸レンズ状の集光素９４４を印刷して集光素パターン９４５を形成して構成される。そして、装飾表示体９４０は、図１５（ｂ）に示すように、複数の画素９４２をマトリクス状に等配列して画像パターン９４３を形成し、画素９４２の配列ピッチｐと異なる配列ピッチｑで、複数の集光素９４４をマトリクス状に等配列して集光素パターン９４５を形成している。これにより、集光素９４４と画素９４２とが重なる部分と位置ズレする部分とが繰り返し生ずることになり、見る位置に制限を受けることなく、揺らぎの少ない静的な状態で、立体的な模様（一般的にモアレパターンと言う）の拡大像が見えるとしている。
【先行技術文献】
【特許文献】
【０００４】
【特許文献１】特開２００１−１８０１９８号公報
【発明の概要】
【発明が解決しようとする課題】
【０００５】
上述したような装飾体は、通常の場合、自然光の反射光若しくは透過光を用いて装飾体を視認するようにしている。しかしながら、よりデザイン性や装飾性を向上させるために、光源を用いて装飾体を光らせ、立体的な模様をより視認できる装飾体の要望が高まってきた。そして、この装飾体を各種電子機器、例えば、携帯機器等に応用する場合、製品を薄型にするため、光を装飾体の背面から入光させるのではなく側面から入光させるようにすることが考えられる。
【０００６】
しかしながら、上述した特許文献１の従来技術では、透明素材９４１の端部から光を入光させると、凸レンズ状の集光素９４４の影響により、光が伝搬しにくい上に、場合によっては、集光素９４４から光が漏れ出てしまい、画像パターン９４３と集光素パターン９４５とで生じる立体的な模様を均一に光らせて表示させることができないと言う課題があった。
【０００７】
本発明は、上述した課題を解決するもので、薄型化を図ることができるとともに、立体感のある発光パターンが視認される装飾体及び該装飾体を用いた装飾表示装置を提供することを目的とする。
【課題を解決するための手段】
【０００８】
この課題を解決するために、本発明の装飾体は、所定のピッチで複数の第１画素が配設された第１のパターンと、該ピッチとは異なる所定のピッチで複数の第２画素が配設された第２のパターンとを有し、前記第１のパターンと前記第２のパターンとを重ね合わせることによりモアレパターンが発現する装飾体であって、光源からの光を入光する第１の入光部を端部に有し前記第１の入光部から入光した光を導光する第１の導光体と、前記第１の導光体の上面側に配設され前記第１の導光体から出光された光を透過させる透光体とを備え、前記第１の導光体の表面には、前記第１のパターンが設けられるとともに、前記透光体の表面には前記第２のパターンが設けられ、前記第１のパターンの前記第１画素が光を散乱するとともに、前記第２のパターンの前記第２画素が光を遮光することを特徴としている。
【０００９】
これによれば、本発明の装飾体は、光源からの光が第１の導光体の端部に設けられた第１の入光部を介して入光し、第１の導光体を伝搬してきた光が第１のパターンの第１画素で散乱され、この散乱光が第２のパターンの第２画素により遮光されるので、立体感のあるモアレパターンが発光したようにして視認できる。このことにより、装飾体の薄型化を図ることができるとともに、立体感のある発光パターンが視認される装飾体を得ることができる。なお、本明細書における「立体感」とは、見る角度によって、パターン（模様）が変化して見え、あたかも視認の対象が奥行きを有して立体をなしているかのように感じるものを言う。
【００１０】
また、本発明の装飾体は、前記第１のパターンが前記第１の導光体の下面に設けられていることを特徴としている。
【００１１】
これによれば、第１のパターンが第１の導光体の下面に設けられているので、第１の導光体を伝搬してきた光が第１のパターンの第１画素で反射散乱光となり、透光体を透過するようになる。このため、第１のパターンが第１の導光体の上面に設けられて透過散乱光となる場合と比較して、より強い光が透光体を透過するようになる。このことにより、立体感のあるモアレパターンがより明るく発光したようにして視認される。
【００１２】
また、本発明の装飾体は、前記第２のパターンが前記透光体の上面に設けられていることを特徴としている。
【００１３】
これによれば、第２のパターンが透光体の上面に設けられているので、第１の導光体からの散乱光を透光体内に透過させた後に第２のパターンの第２画素で遮光するようになる。このため、第１の導光体からの散乱光を第２のパターンの第２画素がより離れた位置で遮光するようになる。このことにより、より立体感のあるモアレパターンが発光したようにして視認できる。
【００１４】
また、本発明の装飾体は、前記第１の導光体の上面側に設けられ、光源からの光を入光する第２の入光部を端部に有し前記第２の入光部から入光した光を導光する第２の導光体を備え、前記第２の導光体の表面には、所定の図柄を構成して光散乱性を有する第３のパターンが設けられていることを特徴としている。
【００１５】
これによれば、第１の導光体の上面側に、図柄を構成して光散乱性を有する第３のパターンが形成された第２の導光体を設けたので、第２の入光部を介して入光し、第２の導光体を伝搬してきた光が第３のパターンの第３画素で散乱され、第３のパターンの図形や文字等の図柄を光らせて浮かび上がらせることができる。このことにより、立体感のあるモアレパターンの他に所定の図柄をなした発光パターンを表示することができ、デザイン性や装飾性がより向上した装飾体を得ることができる
【００１６】
また、本発明の装飾体は、前記第１の導光体と前記透光体との間に、前記第２の導光体が設けられるとともに、前記第３のパターンが複数の第３画素で形成されていることを特徴としている。
【００１７】
これによれば、第１の導光体と透光体との間に、第２の導光体が設けられているので、第３画素で形成された第３のパターンの上面側に遮光性の第２画素を有する第２のパターンが形成された透光体が配置されることとなる。このことにより、第２の導光体に光が入光されていないときに、第２のパターンで第３のパターンの一部を隠すことができ、第３のパターンを目立たなくすることができる。更に、第１の導光体と透光体とが第２の導光体の厚み分だけ多く離れるので、第１の導光体からの散乱光を第２のパターンの第２画素がより離れた位置で遮光するようになる。このことにより、より一層立体感のあるモアレパターンが発光したようにして視認できる。
【００１８】
また、本発明の装飾体は、前記第３のパターンの前記第３画素が、前記第１のパターンの前記第１画素に対応させて同じピッチで設けられていることを特徴としている。
【００１９】
これによれば、第３のパターンの第３画素が第１のパターンの第１画素に対応させて同じピッチで設けられているので、第２の導光体に光を入光していない際に、第１のパターンの第１画素中に第３のパターンの第３画素が埋もれて、第３のパターンをより視認されにくくすることができる。このことにより、立体感のあるモアレパターンから他の発光パターン（第３のパターン）を突然に表示することができ、デザイン性や装飾性がより一層向上した装飾体を得ることができる。また、第３のパターンの第３画素が、第１のパターンの第１画素に対応していることから、第３のパターンの第３画素と第２のパターンの第２画素とによる、不所望なモアレパターンが生じるのを防ぐことができる。
【００２０】
また、本発明の装飾体は、前記第１の導光体と前記透光体との間にスペーサが配設され、前記第１の導光体と前記透光体とが離間していることを特徴としている。
【００２１】
これによれば、スペーサにより第１の導光体と透光体とが離間して空気層が設けられているので、第１の導光体と透光体とが密着するのを防止できる。このため、第１の導光体を伝搬する光は、空気層と第１の導光体との界面で全反射されて第１の導光体からの出光が抑えられる。このことにより、第１の入光部から入光した光を第１の導光体中に導光させて、光源から遠くまで光を導くことができる。
【００２２】
また、本発明の装飾体は、前記第１のパターンの前記第１画素が白色で形成されているととともに、前記第２のパターンの前記第２画素が黒色で形成されていることを特徴としている。
【００２３】
これによれば、第１のパターンの第１画素が白色で形成されて、第２のパターンの第２画素が黒色で形成されているので、第１の導光体を伝搬してきた光が第１のパターンの第１画素でより散乱され、第１の導光体からの散乱光を第２のパターンの第２画素でより確実に遮光することができる。このことにより、立体感のあるモアレパターンがより一層発光したようにして視認される。
【００２４】
また、本発明の装飾表示装置は、上述したいずれかの装飾体と、前記装飾体に光を入光するための前記第１の入光部に対向して設けられた光源と、前記装飾体及び前記光源が配設された基体とを有することを特徴としている。
【００２５】
これによれば、装飾体と光源と装飾体及び光源が配設された基体とを有しているので、従来の装飾表示装置と比較して、薄型化を図ることができるとともに、立体感のあるモアレパターンがより発光したようにして視認される装飾表示装置を得ることができる。
【発明の効果】
【００２６】
本発明の装飾体は、光源からの光が第１の導光体の端部に設けられた第１の入光部を介して入光し、第１の導光体を伝搬してきた光が第１のパターンで散乱され、この散乱光が第２のパターンにより部分的に遮光されるので、立体感のあるモアレパターンが発光したようにして視認できる。このことにより、薄型化を図ることができるとともに、立体感のある発光パターンが視認される装飾体を得ることができる。
【００２７】
また、本発明の装飾体装置は、装飾体と光源と装飾体及び光源が配設された基体とを有しているので、従来の装飾表示装置と比較して、薄型化を図ることができるとともに、立体感のあるモアレパターンがより発光したようにして視認される装飾表示装置を得ることができる。
【００２８】
したがって、本発明の装飾体及び該装飾体を用いた装飾表示装置は、薄型化を図ることができるとともに、立体感のある発光パターンが視認される装飾体及び該装飾体を用いた装飾表示装置を提供できる。
【図面の簡単な説明】
【００２９】
【図１】本発明の第１実施形態の装飾体を説明する側面構成図である。
【図２】本発明の第１実施形態の装飾体を説明する構成図であって、図１に示すＺ１側から見た上面図である。
【図３】本発明の第１実施形態の装飾体を説明する構成図であって、図３（ａ）は、第３のパターンを示す平面図であり、図３（ｂ）は、第１のパターンを示す平面図である。
【図４】本発明の第１実施形態の装飾体を説明する構成図であって、図３に示す第１のパターンと第３のパターンとを重ね合わせた平面図である。
【図５】本発明の第２実施形態の装飾体を説明する側面構成図である。
【図６】本発明の第２実施形態の装飾体を説明する構成図であって、図５に示すＺ１側から見た上面図である。
【図７】本発明の第２実施形態の装飾体を説明する構成図であって、図７（ａ）は、第３のパターンを示す平面図であり、図７（ｂ）は、第２のパターンを示す平面図である。
【図８】本発明の第２実施形態の装飾体を説明する構成図であって、図７に示す第２のパターンと第３のパターンとを重ね合わせた平面図である。
【図９】本発明の第３実施形態の装飾体を説明する側面構成図である。
【図１０】本発明の第３実施形態の装飾体を説明する構成図であって、図９に示すＺ１側から見た上面図である。
【図１１】本発明の第４実施形態の装飾表示装置を説明する分解斜視図である。
【図１２】本発明の装飾体の変形例を説明する側面構成図であって、図１２（ａ）は、第１実施形態の装飾体を変えた変形例１であり、図１２（ｂ）は、第２実施形態の装飾体を変えた変形例２である。
【図１３】本発明の装飾体の変形例を説明するモアレパターンの模式図であって、図１３（ａ）は、第２実施形態の第１のパターン及び第２のパターンを変えた変形例３であり、図１３（ｂ）及び図１３（ｃ）は、第２実施形態の第１のパターン及び第２のパターンのピッチを変えた変形例４の一例である。
【図１４】本発明の第３実施形態の装飾体の変形例７を説明する側面構成図である。
【図１５】従来技術における装飾表示体を説明する図であって、図１５（ａ）は、装飾表示体の断面図であり、図１５（ｂ）は、装飾表示体の画素および集光素の配列を拡大して示す平面図である。
【図１６】モアレパターンの一例を説明する模式図であって、図１６（ａ）は、白い画素の白パターンを示した平面図であり、図１６（ｂ）は、黒い画素の黒パターンを示した平面図であり、図１６（ｃ）は、白パターンと黒パターンとを重ね合わせた平面図である。
【発明を実施するための形態】
【００３０】
以下、本発明の実施の形態について図面を参照して説明する。
【００３１】
［第１実施形態］
図１は、本発明の第１実施形態の装飾体５０１を説明する構成側面図である。なお、説明を容易にするため、装飾体５０１の一部を示している。図２は、本発明の第１実施形態の装飾体５０１を説明する構成図であって、図１に示すＺ１側から見た上面図である。なお、説明を容易にするため、図２において、第３のパターンは省略している。図３は、本発明の第１実施形態の装飾体を説明する構成図であって、図３（ａ）は、第３のパターン３３を示す平面図であり、図３（ｂ）は、第１のパターン１１を示す平面図である。図４は、本発明の第１実施形態の装飾体を説明する構成図であって、図３に示す第１のパターン１１と第３のパターン３３とを重ね合わせた平面図である。なお、説明を容易にするため、図３及び図４において、第１のパターン１１及び第３のパターン３３にはハッチングを描いている。
【００３２】
本発明の第１実施形態の装飾体５０１は、図１に示すように、光源ＬＥ１からの光を導光する第１の導光体１と、第１の導光体１の上面側に配設される透光体２とを備えて構成されている。また、図１及び図２に示すように、第１の導光体１の主面の表面（下面）には、所定のピッチ（第１ピッチ）Ｐ１で２次元的（平面内）に配設された複数の第１画素１ｇを有した第１のパターン１１が設けられ、透光体２の主面の表面（上面）には、ピッチＰ１とは異なる所定のピッチ（第２ピッチ）Ｐ２で２次元的（平面内）に配設された複数の第２画素２ｇを有した第２のパターン２２が設けられている。そして、第１のパターン１１と第２のパターン２２とを重ね合わせることで、モアレパターンが発現するようになっている。
【００３３】
ここで、このモアレパターンについて、図１６を用いて簡単に説明する。図１６は、モアレパターンの一例を説明する模式図であって、図１６（ａ）は、白い画素Ｒ１ｇの白パターンＲ１１を示した平面図であり、図１６（ｂ）は、黒い画素Ｒ２ｇの黒パターンＲ２２を示した平面図であり、図１６（ｃ）は、白パターンＲ１１と黒パターンＲ２２とを重ね合わせた平面図である。なお、パターンを見やすくするため、背景をグレースケール（灰色）に設定している。図１６に示すように、例えば白い画素Ｒ１ｇが所定のピッチで２次元的（平面内）に配設された白パターンＲ１１と、黒い画素Ｒ２ｇが白い画素Ｒ１ｇのピッチとは異なるピッチで２次元的（平面内）に配設された黒パターンＲ２２とを重ね合わせると、ある規則正しいパターンＲ５５が発現し、この発現したパターンＲ５５をモアレパターンと言う。更に、本発明におけるモアレパターンは、図１６では表現できていないが、ユーザが見る角度によって、このパターンＲ５５が変化して見え、あたかも視認する対象パターンが奥行きを有して立体をなしているかのように感じるパターンとなっている。
【００３４】
本発明の第１実施形態の装飾体５０１は、このモアレパターンが発現するように構成されており、更に、第１の導光体１を導光してきた光源ＬＥ１からの光が第１のパターン１１の第１画素１ｇにより反射散乱され、この反射散乱された光の一部が第２のパターン２２の第２画素２ｇにより遮光されて、図１に示すＺ１側からユーザによって、最終的に透過してきた光が視認され、ユーザが立体感のあるモアレパターンが発光したようにして視認できるようになっている。
【００３５】
更に、本発明の第１実施形態の装飾体５０１には、図１及び図２に示すように、第１の導光体１と透光体２との間に、光源ＬＥ２からの光を導光する第２の導光体３が設けられている。すなわち、第１の導光体１の上には第２の導光体３が積層されており、この第２の導光体３の上には透光体２が積層されている。そして、第２の導光体３の主面の表面（下面）には、所定の図柄（表示）を構成して光散乱性を有する複数の第３画素３ｇを備えた第３のパターン３３が設けられている。これにより、第２の導光体３を導光してきた光源ＬＥ２からの光が、第３のパターン３３の第３画素３ｇにより反射散乱され、この反射散乱された一部の光が、図１に示すＺ１側からユーザによって、所定の図柄（表示）が光って、前述したモアレパターンの中に浮かび上がったようにして視認される。なお、所定の図柄（表示）とは、図形、記号、文字、絵等、或いはこれらの組み合わせたものである。
【００３６】
次に、本発明の第１実施形態の装飾体５０１について、更に詳細に説明する。先ず、第１の導光体１は、シート状で透光性を有したポリカーボネート等の合成樹脂からなり、図１に示すように、第１の導光体１の端部には、光源ＬＥ１からの光を入光する第１の入光部１ｎを有しており、第１の入光部１ｎから入光した光は、第１の導光体１の上面部分１ｕや下面部分１ｄの境界部分で全反射を繰り返して第１の導光体１の内部を伝搬する。なお、合成樹脂材料として、ポリカーボネート樹脂を用いたが、これに限るものではなく、例えばアクリル樹脂、ポリウレタン樹脂やシリコーン樹脂等を用いても良い。
【００３７】
また、第１のパターン１１は、第１の導光体１の下面（図１に示すＺ２側）に設けられており、第１の導光体１の内部を導光してきた光は、第１のパターン１１の第１画素１ｇによって反射散乱させられる。この反射散乱させられた一部の光は、図１に示すＺ１方向へ向かい、第１の導光体１外へ放射され、第２の導光体３に入光する。その光散乱性を有した第１のパターン１１の第１画素１ｇは、図２及び図３（ｂ）に示すように、円形の形状を有しており、この光散乱性を向上させるため、白色で形成している。また、第１のパターン１１の第１画素１ｇの形成は、二酸化チタン、二酸化ジルコニウム（ジルコニア）や炭酸カルシウム等の粉末が含有されたインクを第１の導光体１に塗布し、このインクを硬化させることにより、容易に行うことができる。なお、図２においては、第１画素１ｇを破線で示している。
【００３８】
また、光源ＬＥ１は、側面発光方式のＬＥＤ（発光ダイオード）を好適に用いており、フレキシブル配線板９１に搭載され、第１の入光部１ｎと対向する位置に配置されているとともに、第１の入光部１ｎに光を入光できる向きに出光部ＬＥａを向けて配置されている。このようにして、光源ＬＥ１を側面に配設して、光源ＬＥ１からの光を第１の導光体１に伝搬させているので、光を装飾体の背面から入光させる場合と比較して、装飾体５０１の薄型化を図ることができる。
【００３９】
次に、第２の導光体３は、第１の導光体１と同様に、シート状で透光性を有したポリカーボネート等の合成樹脂からなり、図１に示すように、第２の導光体３の端部には、光源ＬＥ２からの光を入光する第２の入光部３ｎを有しており、第２の入光部３ｎから入光した光は、第２の導光体３の上面部分や下面部分の境界部分で全反射を繰り返して第２の導光体３の内部を伝搬する。なお、第１の導光体１と同様に、合成樹脂材料として、ポリカーボネート樹脂を用いたが、これに限るものではなく、例えばアクリル樹脂、ポリウレタン樹脂やシリコーン樹脂等を用いても良い。
【００４０】
また、第３のパターン３３は、第２の導光体３の下面（図１に示すＺ２側）に設けられており、第２の導光体３の内部を導光してきた光は、第３のパターン３３の第３画素３ｇによって反射散乱させられる。この反射散乱させられた一部の光は、図１に示すＺ１方向へ向かい、第２の導光体３外へ放射され、透光体２に入光する。
【００４１】
また、第３のパターン３３の第３画素３ｇは、図３（ａ）に示すように、円形の形状を有しており、図１及び図３（ａ）に示すように、第１のパターン１１の第１画素１ｇに対応させて同じピッチＰ１で配設されている。これにより、第２の導光体３に光を入光していない際に、図４に示すように、第１のパターン１１（図３（ｂ）参照）の第１画素１ｇ中に、第３のパターン３３の第３画素３ｇが埋もれて、第３のパターン３３をより視認されにくくすることができる。また、第３のパターン３３の第３画素３ｇが、第１のパターン１１の第１画素１ｇに対応していることから、第３のパターン３３と後述する第２のパターン２２とによる、不所望なモアレパターンが生じるのを防ぐことができる。
【００４２】
更に、図１に示すように、第３のパターン３３が、第２の導光体３の下面（図１に示すＺ２側）、つまり第１の導光体１と対向する側の面に形成されているので、第２の導光体３の上面（図１に示すＺ１側）に第３のパターン３３が形成されている場合と比較して、第１のパターン１１の第１画素１ｇと第３のパターン３３の第３画素３ｇとを近づけることができる。このことにより、第１のパターン１１の第１画素１ｇと第３のパターン３３の第３画素３ｇとをより一体化することができ、第３のパターン３３と後述する第２のパターン２２とによる、不所望なモアレパターンが生じるのをより一層防ぐことができる。なお、第１実施形態においては、第３画素３ｇは第１の導光体１を介して第１画素１ｇと対向しているが、第３画素３ｇと第１画素１ｇとは位置ずれなく完全に対向している必要はなく、多少位置がずれて対向していても良い。また、第３画素３ｇと第１画素１ｇの大きさや形状も同一でなくても構わない。
【００４３】
また、第３のパターン３３の第３画素３ｇは、光散乱性を向上させるため、第１の導光体１の第１画素１ｇと同じ白色で形成している。このため、第３のパターン３３の第３画素３ｇの形成は、第１のパターン１１の第１画素１ｇと同様に、二酸化チタン、二酸化ジルコニウム（ジルコニア）や炭酸カルシウム等の粉末が含有されたインクを第２の導光体３に塗布し、このインクを硬化させることにより、容易に行うことができる。なお、図３（ａ）及び図４に示す第３のパターン３３の所定の図柄は、文字「ＥＩ」を表しているが、文字に限らず図形、記号、絵等、あるいはこれらの組み合わせたものでも良い。
【００４４】
また、光源ＬＥ２は、光源ＬＥ１と同様に、側面発光方式のＬＥＤを好適に用いており、フレキシブル配線板９２に搭載され、第２の入光部３ｎと対向する位置に配置されているとともに、第２の入光部３ｎに光を入光できる向きに出光部ＬＥｂを向けて配置されている。なお、光源ＬＥ２は、光源ＬＥ１の発光色とは異なる発光色のものを用いている。
【００４５】
最後に、透光体２は、シート状で透光性を有したポリカーボネート等の合成樹脂からなり、第１の導光体１及び第２の導光体３からの反射散乱光を透過させている。また、透光体２の上面（図１に示すＺ１側）には、第２のパターン２２が設けられており、透光体２の内部を透過してきた光は、第２のパターン２２の第２画素２ｇによって遮光されるとともに、それ以外の反射散乱光は、透光体２外へ放射され、図１に示すＺ１側からユーザによってこの反射散乱光が視認される。この遮光性を有した第２のパターン２２の第２画素２ｇは、図１に示すように、第１のパターン１１の第１画素１ｇと同じ円形の形状を有しており、その遮光性を向上させるため、黒色で形成している。なお、第２画素２ｇの形状は第１画素１ｇと同じであることが好ましいが、異なる形状であっても構わない。また、第２画素２ｇの大きさは第１画素１ｇと同じか僅かに大きいことが好ましいが、第２画素２ｇが第１画素１ｇより小さくても構わない。
【００４６】
また、第２のパターン２２の第２画素２ｇの形成は、カーボン等の粉末が含有されたインクを透光体２に塗布し、このインクを硬化させることにより、容易に行うことができる。なお、第１の導光体１及び第２の導光体３と同様に、合成樹脂材料として、ポリカーボネート樹脂を用いたが、これに限るものではなく、例えばアクリル樹脂、ポリウレタン樹脂、ポリエチレンテレフタレート樹脂やシリコーン樹脂等を用いても良い。また、遮光性を向上させるため第２のパターン２２の第２画素２ｇを黒色で好適に形成しているが、遮光性を有していれば良く、黒色に限るものではない。例えば、濃い青等の暗色系の色や反射膜等でも良い。
【００４７】
以上のように構成された本発明の第１実施形態の装飾体５０１に第１の導光体１の端部に設けられた第１の入光部１ｎから光を入光すると、第１の導光体１を伝搬してきた光が第１の導光体１の下面（図１に示すＺ２側）に設けられた第１のパターン１１の第１画素１ｇで反射散乱され、この反射散乱光が第２の導光体３を透過し、透光体２の第２のパターン２２の第２画素２ｇにより遮光され、それ以外の反射散乱光は、透光体２外へ放射され、図１に示すＺ１側からユーザによってこの反射散乱光が視認される。
【００４８】
これによれば、本発明の第１実施形態の装飾体５０１は、第１のパターン１１と第２のパターン２２とを重ね合わせて発現した立体感のあるモアレパターンが発光したようにして視認できる。このことにより、装飾体５０１の薄型化を図ることができるとともに、立体感のある発光パターンが視認される装飾体５０１を得ることができる。
【００４９】
更に、第１のパターン１１が第１の導光体１の下面（図１に示すＺ２側）に設けられているので、第１のパターン１１が第１の導光体１の上面（図１に示すＺ２側）に設けられて透過散乱光となる場合と比較して、より強い光が透光体２を透過するようになる。このことにより、立体感のあるモアレパターンがより明るく発光したようにして視認される。なお、本明細書における「立体感」とは、見る角度によって、パターン（模様）が変化して見え、あたかも視認の対象が奥行きを有して立体をなしているかのように感じるものを言う。このような「立体感」を感じるのは、第１のパターン１１の第１画素１ｇと第２のパターン２２の第２画素２ｇとが、図１に示す上下方向（Ｚ１−Ｚ２方向）において、異なる平面上に形成されていることによる。すなわち、Ｚ１側から装飾体５０１をユーザが視認した場合、第１画素１ｇによる散乱光が遮光性の第２画素２ｇによって遮光されるが、その遮光のされ方がユーザの見る角度によって異なるためである。したがって、見る角度を少しずつ変えていくと、対象のモアレパターンが変化するようにユーザに視認され、パターンが立体をなしているように感じられる。
【００５０】
また、第２のパターン２２が透光体２の上面（図１に示すＺ１側）に設けられているので、第１の導光体１からの反射散乱光を透光体２内に透過させた後に第２のパターン２２の第２画素２ｇで遮光するようになる。このため、第１の導光体１からの反射散乱光を第２のパターン２２の第２画素２ｇがより離れた位置で遮光するようになる。このことにより、より立体感のあるモアレパターンが発光したようにして視認できる。
【００５１】
また、第１のパターン１１の第１画素１ｇ及び第２のパターン２２の第２画素２ｇが円形の形状を有しているので、形状に方向性がなく、第１のパターン１１の第１画素１ｇと第２のパターン２２の第２画素２ｇの画素同士が重なり合う場合の面積の割合も規則的にできる。このことにより、全方向にわたって同じようにモアレパターンを得ることができる。
【００５２】
また、第１のパターン１１の第１画素１ｇが白色で形成されて、第２のパターン２２の第２画素２ｇが黒色で形成されているので、第１の導光体１を伝搬してきた光が第１のパターン１１の第１画素１ｇでより反射散乱され、第１の導光体１からの反射散乱光を第２のパターン２２の第２画素２ｇでより確実に遮光することができる。このことにより、立体感のあるモアレパターンがより一層発光したようにして視認される。
【００５３】
更に、以上のような本発明の第１実施形態の装飾体５０１に、第２の導光体３の端部に設けられた第２の入光部３ｎから光を入光すると、第２の導光体３を伝搬してきた光が第２の導光体３の下面（図１に示すＺ２側）に設けられた第３のパターン３３の第３画素３ｇで反射散乱され、この反射散乱光が透光体２を透過し、透光体２外へ放射され、図１に示すＺ１側からユーザによってこの反射散乱光が視認される。このため、第３のパターン３３の文字「ＥＩ」を表す図柄を光らせて浮かび上がらせることができる。このことにより、立体感のあるモアレパターンの中に所定の図柄をなした発光パターンを表示することができ、デザイン性や装飾性がより向上した装飾体５０１を得ることができる。
【００５４】
また、第１の導光体１と透光体２との間に、この第２の導光体３が設けられているので、第３画素３ｇで形成された第３のパターン３３の上面側に遮光性の第２画素２ｇを有する第２のパターン２２が形成された透光体２が配置されることとなる。このことにより、第２の導光体３に光が入光されていないときに、第２のパターン２２で第３のパターン３３の一部を隠すことができ、第３のパターン３３を目立たなくすることができる。更に、第１の導光体１と透光体２とが第２の導光体３の厚み分だけ多く離れるので、第１の導光体１からの反射散乱光を第２のパターン２２の第２画素２ｇがより離れた位置で遮光するようになる。このことにより、より一層立体感のあるモアレパターンが発光したようにして視認できる。
【００５５】
また、第３のパターン３３の第３画素３ｇが第１のパターン１１の第１画素１ｇに対応させて同じピッチＰ１で設けられているので、第２の導光体３に光を入光していない際に、第１のパターン１１の第１画素１ｇ中に第３のパターン３３の第３画素３ｇが埋もれて、第３のパターン３３をより視認されにくくすることができる。このことにより、立体感のあるモアレパターンから他の発光パターン（第３のパターン３３）を突然に表示することができ、デザイン性や装飾性がより一層向上した装飾体５０１を得ることができる。また、第３のパターン３３の第３画素３ｇが、第１のパターン１１の第１画素１ｇに対応していることから、第３のパターン３３の第３画素３ｇと第２のパターン２２の第２画素２ｇとによる、不所望なモアレパターンが生じるのを防ぐことができる。
【００５６】
［第２実施形態］
図５は、本発明の第２実施形態の装飾体５０２を説明する側面構成図である。図６は、本発明の第２実施形態の装飾体５０２を説明する構成図であって、図５に示すＺ１側から見た上面図である。なお、説明を容易にするため、図６において、第３のパターン２３３は省略している。図７は、本発明の第２実施形態の装飾体を説明する構成図であって、図７（ａ）は、第３のパターン２３３を示す平面図であり、図７（ｂ）は、第２のパターン２２２を示す平面図である。図８は、本発明の第２実施形態の装飾体を説明する構成図であって、図７に示す第２のパターン２２２と第３のパターン２３３とを重ね合わせた平面図である。また、第２実施形態の装飾体５０２は、第１実施形態に対し、第１のパターン２１１、第２のパターン２２２及び第３のパターン２３３の構成が異なる。なお、第１実施形態と同一構成については、同一符号を付して詳細な説明は省略する。
【００５７】
本発明の第２実施形態の装飾体５０２は、図５に示すように、光源ＬＥ１からの光を導光する第１の導光体２０１と、第１の導光体２０１の上面側に配設される透光体２０２とを備えて構成される。また、図５及び図６に示すように、第１の導光体２０１の主面の表面（上面）には、所定のピッチＰ２１で配設された複数の第１画素２１ｇを有した第１のパターン２１１が設けられ、透光体２０２の主面の表面（上面）には、ピッチＰ２１とは異なる所定のピッチＰ２２で配設された複数の第２画素２２ｇを有した第２のパターン２２２が設けられている。そして、第１のパターン２１１と第２のパターン２２２とを重ね合わせることで、モアレパターンが発現するようになっている。このため、第１の導光体２０１を導光してきた光源ＬＥ１からの光が第１のパターン２１１の第１画素２１ｇにより透過散乱され、この透過散乱された光の一部が第２のパターン２２２の第２画素２２ｇにより遮光されて、図５に示すＺ１側からユーザによって、最終的に透過してきた光が視認され、ユーザが立体感のあるモアレパターンが発光したようにして視認できるようになっている。
【００５８】
例えば、第１のパターン２１１の第１画素２１ｇ及び第２のパターン２２２の第２画素２２ｇの直径を０.３ｍｍ、第１画素２１ｇのピッチＰ２１を０.５ｍｍ、第２画素２２ｇのピッチＰ２２を０.４５ｍｍとすると、図１６（ｃ）のようなモアレパターンが発現し、このモアレパターンが発光したようにして視認できるとともに、ユーザが見る角度によって、このパターンＲ５５（図１６に示す）が変化して見え、あたかも視認の対象パターンが奥行きを有して立体をなしているかのようにユーザが感じることができる。
【００５９】
更に、本発明の第２実施形態の装飾体５０２には、図５に示すように、第１の導光体２０１と透光体２０２との間に、光源ＬＥ２からの光を導光する第２の導光体２０３が設けられている。すなわち、第１の導光体２０１の上には第２の導光体２０３が積層されており、この第２の導光体２０３の上には透光体２０２が積層された構成となっている。そして、第２の導光体２０３の主面の表面（上面）には、所定の図柄（表示）を構成して光散乱性を有する第３のパターン２３３が設けられている。これにより、第２の導光体２０３を導光してきた光源ＬＥ２からの光が、第３のパターン２３３により散乱され、この散乱されて透過した一部の光が、図５に示すＺ１側からユーザによって、所定の図柄が前述したモアレパターンの中に光って浮かび上がったようにして視認される。
【００６０】
次に、本発明の第２実施形態の装飾体５０２について、更に詳細に説明する。先ず、第１の導光体２０１は、シート状で透光性を有したポリカーボネート樹脂等の合成樹脂からなり、図５に示すように、第１の導光体２０１の端部には、光源ＬＥ１からの光を入光する第１の入光部２０１ｎを有しており、第１の入光部２０１ｎから入光した光は、第１の導光体２０１の上面部分２１ｕや下面部分２１ｄの境界部分で全反射を繰り返して第１の導光体２０１の内部を伝搬する。
【００６１】
また、第１のパターン２１１は、第１の導光体２０１の上面（図５に示すＺ１側）に設けられており、第１の導光体２０１の内部を導光してきた光は、第１のパターン２１１の第１画素２１ｇによって透過散乱させられる。この透過散乱させられた一部の光は、図５に示すＺ１方向へ向かい、第１の導光体２０１外へ放射され、第２の導光体２０３に入光する。その光散乱性を有した第１のパターン２１１の第１画素２１ｇは、図６に示すように、円形の形状を有しており、この光散乱性を向上させるため、白色で形成している。また、第１のパターン２１１の第１画素２１ｇの形成は、二酸化チタン、二酸化ジルコニウム（ジルコニア）や炭酸カルシウム等の粉末が含有されたインクを第１の導光体２０１に塗布し、このインクを硬化させることにより、容易に行うことができる。なお、図６においては、第１画素２１ｇを破線で示している。
【００６２】
次に、第２の導光体２０３は、第１の導光体２０１と同様に、シート状で透光性を有したポリカーボネート樹脂等の合成樹脂からなり、図５に示すように、第２の導光体２０３の端部には、光源ＬＥ２からの光を入光する第２の入光部２０３ｎを有しており、第２の入光部２０３ｎから入光した光は、第２の導光体２０３の上面部分や下面部分の境界部分で全反射を繰り返して第２の導光体２０３の内部を伝搬する。
【００６３】
また、第３のパターン２３３は、第２の導光体２０３の上面（図５に示すＺ１側）に設けられており、第２の導光体２０３の内部を導光してきた光は、第３のパターン２３３によって透過散乱させられる。この透過散乱させられた一部の光は、図５に示すＺ１方向へ透過して、第２の導光体２０３外へ放射され、透光体２０２に入光する。また、第３のパターン２３３は、光散乱性を向上させるため、第１の導光体２０１の第１画素２１ｇと同じ白色で形成している。
【００６４】
また、第３のパターン２３３は、図５に示すように、第１の導光体２０１と透光体２０２との間に設けられているので、第３のパターン２３３の上面側に遮光性の第２画素２２ｇを有する第２のパターン２２２が形成された透光体２０２が配置されることとなる。これにより、第２の導光体２０３に光を入光していない際に、図７及び図８に示すように、後述する第２のパターン２２２の第２画素２２ｇ中に、第３のパターン２３３が隠れて、第３のパターン２３３をより視認されにくくすることができる。なお、図７に示す第３のパターン２３３の所定の図柄（表示）は、本発明の第２実施形態においては四角形状（菱形形状）の記号で示しているが、記号に限らず文字、図形、絵等、あるいはこれらの組み合わせたものでも良い。
【００６５】
最後に、透光体２０２は、シート状で透光性を有したポリカーボネート樹脂等の合成樹脂からなり、第１の導光体２０１及び第２の導光体２０３からの散乱光を透過させている。また、透光体２０２の上面（図５に示すＺ１側）には、第２のパターン２２２が設けられており、透光体２０２の内部を透過した光は、第２のパターン２２２の第２画素２２ｇによって遮光されるとともに、それ以外の散乱光は、透光体２０２外へ放射され、図５に示すＺ１側からユーザによってこの散乱光が視認される。この遮光性を有した第２のパターン２２２の第２画素２２ｇは、図５に示すように、第１のパターン２１１の第１画素２１ｇと同じ円形の形状を有しており、その遮光性を向上させるため、黒色で形成している。
【００６６】
以上のように構成された本発明の第２実施形態の装飾体５０２に第１の導光体２０１の端部に設けられた第１の入光部２０１ｎから光を入光すると、第１の導光体２０１を伝搬してきた光が第１の導光体２０１の上面（図５に示すＺ１側）に設けられた第１のパターン２１１の第１画素２１ｇで透過散乱され、この散乱光が第２の導光体２０３を透過し、透光体２０２の第２のパターン２２２の第２画素２２ｇにより遮光され、それ以外の散乱光は、透光体２０２外へ放射され、図５に示すＺ１側からユーザによってこの散乱光が視認される。
【００６７】
以上により、本発明の第２実施形態の装飾体５０２は、第１のパターン２１１と第２のパターン２２２とを重ね合わせて発現した立体感のあるモアレパターンが発光したようにして視認できる。このことにより、装飾体５０２の薄型化を図ることができるとともに、立体感のある発光パターンが視認される装飾体５０２を得ることができる。なお、本明細書における「立体感」とは、見る角度によって、パターン（模様）が変化して見え、あたかも視認の対象が奥行きを有して立体をなしているかのように感じるものを言う。
【００６８】
また、第１のパターン２１１の第１画素２１ｇが白色で形成されて、第２のパターン２２２の第２画素２２ｇが黒色で形成されているので、第１の導光体２０１を伝搬してきた光が第１のパターン２１１の第１画素２１ｇでより散乱され、第１の導光体２０１からの散乱光を第２のパターン２２２の第２画素２２ｇでより確実に遮光することができる。このことにより、立体感のあるモアレパターンがより一層発光したようにして視認される。
【００６９】
更に、以上のような本発明の第２実施形態の装飾体５０２に、第２の導光体２０３の端部に設けられた第２の入光部２０３ｎから光を入光すると、第２の導光体２０３を伝搬してきた光が第２の導光体２０３の上面（図５に示すＺ１側）に設けられた第３のパターン２３３で散乱され、この散乱光が透光体２０２を透過し、透光体２０２外へ放射され、図５に示すＺ１側からユーザによってこの散乱光が視認される。このため、第３のパターン２３３の記号を表す図柄を光らせて浮かび上がらせることができる。このことにより、立体感のあるモアレパターンの中に所定の図柄をなした発光パターンを表示することができ、デザイン性や装飾性がより向上した装飾体５０２を得ることができる。
【００７０】
また、第１の導光体２０１と透光体２０２との間に、この第２の導光体２０３が設けられているので、第３のパターン２３３の上面側に遮光性の第２画素２２ｇを有する第２のパターン２２２が形成された透光体２０２が配置されることとなる。このことにより、第２の導光体２０３に光が入光されていないときに、第２のパターン２２２で第３のパターン２３３の一部を隠すことができ、第３のパターン２３３を目立たなくすることができる。更に、第１の導光体２０１と透光体２０２とが第２の導光体２０３の厚み分だけ多く離れるので、第１の導光体２０１からの散乱光を第２のパターン２２２の第２画素２２ｇがより離れた位置で遮光するようになる。このことにより、より一層立体感のあるモアレパターンが発光したようにして視認できる。
【００７１】
［第３実施形態］
図９は、本発明の第３実施形態の装飾体５０３を説明する側面構成図である。図１０は、本発明の第３実施形態の装飾体５０３を説明する構成図であって、図９に示すＺ１側から見た上面図である。第３実施形態の装飾体５０３は、第１実施形態に対し、第２の導光体３が設けられていないところが主に異なる。なお、第１実施形態と同一構成については、同一符号を付して詳細な説明は省略する。
【００７２】
本発明の第３実施形態の装飾体５０３は、図９に示すように、光源ＬＥ１からの光を導光する第１の導光体３０１と、第１の導光体３０１の上面側に配設される透光体３０２とを備えて構成されている。また、図９及び図１０に示すように、第１の導光体３０１の主面の表面（下面）には、所定のピッチＰ３１で配設された複数の第１画素３１ｇを有した第１のパターン３１１が設けられ、透光体３０２の主面の表面（上面）には、ピッチＰ３１とは異なる所定のピッチＰ３２で配設された複数の第２画素３２ｇを有した第２のパターン３２２が設けられている。そして、第１のパターン３１１と第２のパターン３２２とを重ね合わせると、モアレパターンが発現するようになっている。
【００７３】
更に、本発明の第３実施形態の装飾体５０３には、図９及び図１０に示すように、第１の導光体３０１と透光体３０２との間にスペーサ３８が設けられており、第１の導光体３０１と透光体３０２との間に空気層ＡＬが形成されている。すなわち、第１の導光体３０１と透光体３０２とが離間した状態で対向配置されており、第１の導光体３０１と透光体３０２とが密着しないようになっている。
【００７４】
次に、本発明の第３実施形態の装飾体５０３について、更に詳細に説明する。先ず、第１の導光体３０１は、シート状で透光性を有したポリカーボネート樹脂等の合成樹脂からなり、図９に示すように、第１の導光体３０１の端部には、光源ＬＥ１からの光を入光する第１の入光部３０１ｎを有しており、第１の入光部３０１ｎから入光した光は、第１の導光体３０１の上面部分３１ｕや下面部分３１ｄの境界部分で全反射を繰り返して第１の導光体３０１の内部を伝搬する。また、第１の導光体３０１と透光体３０２との間に空気層ＡＬが設けられているので、第１の導光体３０１を伝搬してきた光が第１の導光体３０１から出光しようとした際に、この空気層ＡＬと第１の導光体３０１との界面で確実に全反射されて第１の導光体３０１からの出光が抑えられる。このことにより、第１の入光部３０１ｎから入光した光を第１の導光体３０１中に導光させて、光源ＬＥ１から遠くまで光を導くことができる。
【００７５】
また、第１のパターン３１１は、第１の導光体３０１の下面（図９に示すＺ２側）に設けられており、第１の導光体３０１の内部を導光してきた光は、第１のパターン３１１の第１画素３１ｇによって反射散乱させられる。この反射散乱させられた一部の光は、図９に示すＺ１方向へ向かい、第１の導光体３０１外へ放射され、透光体３０２に入光する。この光散乱性を有した第１のパターン３１１の第１画素３１ｇは、図１０に破線で示すように、六角形の形状を有しており、この光散乱性を向上させるため、白色で形成している。
【００７６】
次に、透光体３０２は、シート状で透光性を有したポリカーボネート樹脂等の合成樹脂からなり、第１の導光体３０１からの反射散乱光を透過させている。また、透光体３０２の上面（図９に示すＺ１側）には、第２のパターン３２２が設けられており、透光体３０２の内部を透過した光は、第２のパターン３２２の第２画素３２ｇによって遮光されるとともに、それ以外の反射散乱光は、透光体３０２外へ放射され、図９に示すＺ１側からユーザによってこの反射散乱光が視認される。この遮光性を有した第２のパターン３２２の第２画素３２ｇは、図１０に示すように、第１のパターン３１１の第１画素３１ｇと同じ六角形の形状を有しており、この遮光性を向上させるため、黒色や濃い青等の暗色で形成している。
【００７７】
最後に、スペーサ３８は、図９及び図１０に示すように、長方体の形状を有しており、第１の導光体３０１と透光体３０２との間に複数個配設され、第１の導光体３０１と透光体３０２とを離間するようにしている。また、本発明の第３実施形態のスペーサ３８は、ポリエチレンテレフタレート等の合成樹脂を用いている。なお、合成樹脂を好適に用いているが、他の材質であっても良い。
【００７８】
以上のように構成された本発明の第３実施形態の装飾体５０３に第１の導光体３０１の端部に設けられた第１の入光部３０１ｎから光を入光すると、第１の導光体３０１を伝搬してきた光が第１の導光体３０１の下面（図９に示すＺ２側）に設けられた第１のパターン３１１の第１画素３１ｇで反射散乱され、この反射散乱光が透光体３０２を透過し、透光体３０２の第２のパターン３２２の第２画素３２ｇにより遮光され、それ以外の反射散乱光は、透光体３０２外へ放射され、図９に示すＺ１側からユーザによってこの反射散乱光が視認される。
【００７９】
以上により、本発明の第３実施形態の装飾体５０３は、光源ＬＥ１からの光が第１の導光体３０１の端部に設けられた第１の入光部３０１ｎを介して入光し、第１の導光体３０１を伝搬してきた光が第１のパターン３１１の第１画素３１ｇで散乱され、この散乱光が第２のパターン３２２の第２画素３２ｇにより遮光されるので、立体感のあるモアレパターンが発光したようにして視認できる。このことにより、装飾体の薄型化を図ることができるとともに、立体感のある発光パターンが視認される装飾体５０３を得ることができる。
【００８０】
また、第１のパターン３１１が第１の導光体３０１の下面に設けられているので、第１の導光体３０１を伝搬してきた光が第１のパターン３１１の第１画素３１ｇで反射散乱光となり、透光体３０２を透過するようになる。このため、第１のパターン３１１が第１の導光体３０１の上面に設けられて透過散乱光となる場合と比較して、より強い光が透光体３０２を透過するようになる。このことにより、立体感のあるモアレパターンがより明るく発光したようにして視認される。
【００８１】
また、第２のパターン３２２が透光体３０２の上面に設けられているので、第１の導光体３０１からの反射散乱光を透光体３０２内に透過させた後に第２のパターン３２２の第２画素３２ｇで遮光するようになる。このため、第１の導光体３０１からの反射散乱光を第２のパターン３２２の第２画素３２ｇがより離れた位置で遮光するようになる。このことにより、より立体感のあるモアレパターンが発光したようにして視認できる。
【００８２】
更に、第１の導光体３０１と透光体３０２との間にスペーサ３８が設けられているので、第１の導光体３０１からの反射散乱光を第２のパターン３２２の第２画素３２ｇがより一層離れた位置で遮光するようになる。このことにより、より一層立体感のあるモアレパターンが発光したようにして視認できる。
【００８３】
また、スペーサ３８により第１の導光体３０１と透光体３０２とが離間して空気層ＡＬが設けられているので、第１の導光体３０１と透光体３０２とが密着するのを防止できる。このため、第１の導光体３０１を伝搬する光は、第１の導光体３０１から出光しようとした際に、空気層ＡＬと第１の導光体３０１との界面で全反射されて第１の導光体３０１からの出光が抑えられる。このことにより、第１の入光部３０１ｎから入光した光を第１の導光体３０１中に導光させて、光源ＬＥ１から遠くまで光を導くことができる。
【００８４】
［第４実施形態］
図１１は、本発明の第４実施形態の装飾表示装置６０４を説明する分解斜視図である。なお、第１実施形態と同一構成については、同一符号を付して詳細な説明は省略する。
【００８５】
本発明の第４実施形態の装飾表示装置６０４は、図１１に示すように、本発明の第１実施形態の装飾体５０１と、装飾体５０１の第１の導光体１に光を入光するための第１の入光部１ｎに対向して設けられた光源ＬＥ１と、装飾体５０１の第２の導光体３に光を入光するための第２の入光部３ｎに対向して設けられた光源ＬＥ２と、光源ＬＥ１と光源ＬＥ２を実装したフレキシブル配線板（９１、９２）と、装飾体５０１及びフレキシブル配線板（９１、９２）が配設された基体９とを有して構成されている。更に、装飾表示装置６０４は、他に第１の導光体１を位置決めする第１のガイドＧ１と、第２の導光体３を位置決めする第２のガイドＧ２と、外部と電気的に接続するためにフレキシブル配線板（９１、９２）に実装された２つのコネクタ（ＣＮ１、ＣＮ２）とを有している。なお、モアレパターンの中に浮かび上がらせる文字等の図柄を視認し易くするため、ＬＥＤにより構成される光源ＬＥ１と光源ＬＥ２とは、それぞれの発光色を異ならしている。
【００８６】
以上により、装飾体５０１と光源ＬＥ１及び光源ＬＥ２と装飾体５０１及び光源（ＬＥ１、ＬＥ２）が配設された基体９とを有して構成されているので、従来の装飾表示装置と比較して、薄型化を図ることができるとともに、立体感のあるモアレパターンがより発光したようにして視認される装飾表示装置６０４を得ることができる。
【００８７】
なお、本発明は上記実施形態に限定されるものではなく、例えば次のように変形して実施することができ、これらの実施形態も本発明の技術的範囲に属する。
【００８８】
図１２は、本発明の装飾体の変形例を説明する側面構成図であって、図１２（ａ）は、第１実施形態の装飾体５０１を変えた変形例１の装飾体Ｃ５０１であり、図１２（ｂ）は、第２実施形態の装飾体５０２を変えた変形例２の装飾体Ｃ５０２である。図１３は、本発明の装飾体の変形例を説明するモアレパターンの模式図であって、図１３（ａ）は、第２実施形態の第１のパターン２１１及び第２のパターン２２２を変えた変形例３であり、図１３（ｂ）及び図１３（ｃ）は、第２実施形態の第１のパターン及び第２のパターンを変えた変形例４の一例である。図１４は、本発明の第３実施形態の装飾体５０３の変形例７の装飾体Ｃ５０３を説明する側面構成図である。
【００８９】
＜変形例１＞
上記第１実施形態では、第２のパターン２２を透光体２の上面に設けるように好適に構成したが、図１２（ａ）に示すように、透光体Ｃ２の下面に設けるように構成しても良い。
【００９０】
＜変形例２＞
上記第２実施形態では、第１の導光体２０１と透光体２０２との間に第２の導光体２０３を設けるように好適に構成にしたが、図１２（ｂ）に示すように、透光体２０２の上面側に第２の導光体２０３を設ける構成であっても良い。
【００９１】
＜変形例３＞
上記第２実施形態の一例として、第１のパターン２１１の第１画素２１ｇ及び第２のパターン２２２の第２画素２２ｇの直径を０.３ｍｍ、第１画素２１ｇのピッチＰ２１を０.５ｍｍ、第２画素２２ｇのピッチＰ２２を０.４５ｍｍとした場合、図１６（ｃ）のようなパターンＲ５５が発現するとしたが、第１のパターン２１１の第１画素２１ｇのピッチＰ２１を０.６ｍｍ、第２のパターン２２２の第２画素２２ｇのピッチＰ２２を０.５５ｍｍとすると、図１３（ａ）に示すようなパターンＣＲ５５が発現する。
【００９２】
＜変形例４＞
上記各実施形態の第１のパターン（１１、２１１、３１１）のピッチ（Ｐ１、Ｐ２１、Ｐ３１）及び第２のパターン（２２、２２２、３２２）のピッチ（Ｐ２、Ｐ２２、Ｐ３２）は、直交する２方向ともに同じピッチ間隔にしたが、２方向のピッチのそれぞれを異ならせても良い。この場合には、図１３（ｂ）及び図１３（ｃ）に示すようなパターンＣＲ５６、パターンＣＲ５７が発現する。
【００９３】
＜変形例５＞
上記各実施形態においては、第１のパターン（１１、２１１、３１１）に対して、第２のパターン（２２、２２２、３２２）を平面視して回転させないようにして重ね合わせているが、本発明は上記実施形態に限るものではなく、第１のパターン（１１、２１１、３１１）に対して、第２のパターン（２２、２２２、３２２）を平面視して回転させた状態（角度を持たせた状態）で重ね合わせることにより、モアレパターンを発現させても良い。
【００９４】
＜変形例６＞
上記第１実施形態及び第２実施形態においては、第１の導光体（１、２０１）と、第２の導光体（３、２０３）と、透光体（２、２０２）と、を積層させて構成したが、本発明は上記１実施形態及び第２実施形態に限るものではない。すなわち、第１の導光体（１、２０１）と第２の導光体（３、２０３）との間、及び第２の導光体（３、２０３）と透光体（２、２０２）との間に、スペーサを設けて、積層される部材間の密着を防止しても良い。
【００９５】
＜変形例７＞
上記第３実施形態では、第１のパターン３１１を第１の導光体３０１の下面に設けるように好適に構成したが、図１４に示すように、第１の導光体Ｃ３０１の上面に設けるように構成しても良い。
【００９６】
＜変形例８＞
上記各実施形態においては、第１の導光体（１、２０１、３０１）及び第２の導光体（３、２０３）の側面を端部として第１の入光部（１ｎ、２０１ｎ、３０１ｎ）及び第２の入光部（３ｎ、２０３ｎ）としたが、この側面が端部として限定されない。例えば、第１の導光体及び第２の導光体の側面近傍の一部に開口を形成し、この開口内における端部を入光部としても良い。この場合には、第１の導光体及び第２の導光体に形成された開口部内に光源が配設されるものとなる。
【００９７】
＜変形例９＞
上記各実施形態においては、第１の導光体（１、２０１、３０１）、第２の導光体（３、２０３）及び透光体（２、２０２、３０２）は、モアレパターンに立体感をもたせるため、ある程度の厚さ、例えば０.４ｍｍ〜１.５ｍｍ程度を有する板状であることが好ましいが、可撓性を有するフィルム状であっても構わない。また、第１の導光体、第２の導光体、及び透光体は、平面状（平板状）に限定されず、導光体による光の伝搬に影響を及ぼさない範囲内で、曲面状に形成しても良い。
【００９８】
本発明は上記実施の形態に限定されず、本発明の目的の範囲を逸脱しない限りにおいて適宜変更することが可能である。
【符号の説明】
【００９９】
１、２０１、３０１、Ｃ３０１  第１の導光体
１ｇ、２１ｇ、３１ｇ  第１画素
２ｇ、２２ｇ、３２ｇ  第２画素
３ｇ  第３画素
１ｎ、２０１ｎ、３０１ｎ  第１の入光部
１１、２１１、３１１  第１のパターン
２、２０２、３０２  透光体
２２、２２２、３２２  第２のパターン
３、２０３  第２の導光体
３ｎ、２０３ｎ  第２の入光部
３３、２３３  第３のパターン
３８  スペーサ
９  基体
ＡＬ  空気層
ＬＥ１、ＬＥ２  光源
Ｐ１、Ｐ２、Ｐ２１、Ｐ２２、Ｐ３１、Ｐ３２  ピッチ
５０１、５０２、５０３、Ｃ５０１、Ｃ５０２、Ｃ５０３  装飾体
６０４  装飾表示装置
【図１】
2013173246.tif 000003
【図２】
2013173246.tif 000004
【図３】
2013173246.tif 000005
【図４】
2013173246.tif 000006
【図５】
2013173246.tif 000007
【図６】
2013173246.tif 000008
【図７】
2013173246.tif 000009
【図８】
2013173246.tif 000010
【図９】
2013173246.tif 000011
【図１０】
2013173246.tif 000012
【図１１】
2013173246.tif 000013
【図１２】
2013173246.tif 000014
【図１３】
2013173246.tif 000015
【図１４】
2013173246.tif 000016
【図１５】
2013173246.tif 000017
【図１６】
2013173246.tif 000018